(57)【要約】【課題】同一の場所において試着用陳列と販売用陳列とを同時に行なえる眼鏡陳列具を提供すること。【解決手段】試着用眼鏡陳列部１２は、眼鏡ＧのブリッジＢを係止させる係止部２０と、両側のテンプルＴまたはモダンＭが載せられる孔２２とを有する構成であり、試着用眼鏡Ｇを簡単に取り外せ、かつ、簡単に元の位置に戻せるので、眼鏡Ｇの試着を簡単に気軽に行え、眼鏡Ｇを販売する上で極めて有利となる。また、試着用眼鏡Ｇが並べられた試着用眼鏡陳列部１２の下方の箇所に、眼鏡Ｇが収容された包装箱４０が吊り下げられた販売用眼鏡陳列部１４が位置しているので、狭いスペースにおいて試着と購入を簡単に行え、眼鏡専門の販売員を配置していない量販店などにおいて眼鏡Ｇの売り上げを高める上で極めて有利となる。【選択図】図１
2009018025.tif 000002
【特許請求の範囲】
【請求項１】
壁面に係脱可能に取着されるディスプレイ用パネルと、
前記ディスプレイ用パネルの上下左右の間隔をおいた複数箇所から突設された試着用ハンガーと、
前記試着用ハンガーの左右両側に位置する前記ディスプレイ用パネルの箇所に形成された孔と、
前記試着用ハンガーの先端に設けられ眼鏡のブリッジの係止を可能とした係止部とを備え、
眼鏡の両側のテンプルを開いた状態で、眼鏡のブリッジを前記係止部に止させ、かつ、両側のテンプルまたはモダンを前記両側の孔の内周に載せた状態で眼鏡が支持される、
ことを特徴とする眼鏡陳列具。
【請求項２】
前記試着用ハンガーは、該試着用ハンガーが上下方向に並べられて形成された縦列が、左右方向に第１のピッチで複数設けられることで配設されている、
ことを特徴とする請求項１記載の眼鏡陳列具。
【請求項３】
上部に設けられた試着用眼鏡陳列部と、前記試着用眼鏡陳列部の下方に設けられ販売用眼鏡陳列部とからなり、
前記試着用眼鏡陳列部は、
壁面に係脱可能に取着されるディスプレイ用パネルと、
前記ディスプレイ用パネルの上下左右の間隔をおいた複数箇所から突設された試着用ハンガーと、
前記試着用ハンガーの左右両側に位置する前記ディスプレイ用パネルの箇所に形成された孔と、
前記試着用ハンガーの先端に設けられ眼鏡のブリッジの係止を可能とした係止部とを備え、
眼鏡の両側のテンプルを開いた状態で、眼鏡のブリッジを前記係止部に止させ、かつ、両側のテンプルまたはモダンを前記両側の孔の内周に載せた状態で眼鏡が支持されるように構成され、
前記販売用眼鏡陳列部は、
上下左右の間隔をおいた複数箇所から突設され、眼鏡が収容された包装箱の吊り下げを可能とした複数の販売用ハンガーを含んで構成されている、
ことを特徴とする眼鏡陳列具。
【請求項４】
前記試着用ハンガーは、該試着用ハンガーが上下方向に並べられて形成された縦列が、左右方向に第１のピッチで複数設けられることで配設されており、
前記販売用ハンガーは、該販売用ハンガーが上下方向に並べられて形成された縦列が、左右方向に前記第１のピッチよりも小さい寸法の第２のピッチで複数設けられることで配設されている、
ことを特徴とする請求項３記載の眼鏡陳列具。
【請求項５】
前記ディスプレイ用パネルの上方の箇所に、眼鏡の試着状態を視認するための鏡が設けられている、
ことを特徴とする請求項３記載の眼鏡陳列具。
【請求項６】
キャスターで支持された底板と、底板の奥部から立設された背面とを有するゴンドラが設けられ、
前記ディスプレイ用パネルは前記背面の上部に設けられ、
前記販売用ハンガーは、前記ディスプレイ用パネルの下方に位置する前記背面の箇所から突設されている、
ことを特徴とする請求項３記載の眼鏡陳列具。
【発明の詳細な説明】
【技術分野】
【０００１】
本発明は、複数種類の眼鏡の試着用陳列が行なえる眼鏡陳列具に関し、また、試着用陳列と、眼鏡が収容された包装箱の多数の販売用陳列とを同時に行なえる眼鏡陳列具に関する。
【背景技術】
【０００２】
眼鏡の陳列は、従来、眼鏡専門店や百貨店などの専用の売り場で、上下に並べた棚板上に複数の眼鏡を載置することで行なわれ、また、眼鏡の２つのテンプルのうちの一方を、載置台の壁面に設けた孔に係止させることで行われている（特許文献１、特許文献２）。
一方、近年では、眼鏡も量販店などで他の別の商品の間の狭いスペース内に陳列され、眼鏡専門の販売員なしで販売される傾向にある。
【特許文献１】特開２００２−１４２９３２
【特許文献２】特開平９−１０３３４４
【発明の開示】
【発明が解決しようとする課題】
【０００３】
しかしながら、上述のように眼鏡を棚板の上に載置する形態や、テンプルを壁面の係止させる形態を、量販店などに適用しようとすると、眼鏡の試着を行なえるものの、眼鏡陳列箇所とは別の箇所に販売用の眼鏡を置くスペースを確保しなければならない。
また、眼鏡の２つのテンプルのうちの一方を、載置台の壁面に設けた孔に係止させる形態では、眼鏡が特異な形状で壁面に係止されることから、試着した眼鏡を元の場所に戻しにくく、簡単に試着することができない。
また、眼鏡陳列箇所とは別の箇所に販売用の眼鏡を置くスペースが確保されたとしても、販売用の眼鏡が置かれた箇所では、試着して気に入った所望の眼鏡がどこにあるのかを明らかにするため何らかの工夫が必要となる。
本発明者は前記事情に鑑み案出されたものであって、本発明の目的は、同一の場所において試着用陳列と販売用陳列とを同時に行なえる眼鏡陳列具を提供することにある。
【課題を解決するための手段】
【０００４】
前記目的を達成するため本発明の眼鏡陳列具は、壁面に係脱可能に取着されるディスプレイ用パネルと、前記ディスプレイ用パネルの上下左右の間隔をおいた複数箇所から突設された試着用ハンガーと、前記試着用ハンガーの左右両側に位置する前記ディスプレイ用パネルの箇所に形成された孔と、前記試着用ハンガーの先端に設けられ眼鏡のブリッジの係止を可能とした係止部とを備え、眼鏡の両側のテンプルを開いた状態で、眼鏡のブリッジを前記係止部に止させ、かつ、両側のテンプルまたはモダンを前記両側の孔の内周に載せた状態で眼鏡が支持されることを特徴とする。
また、本発明の眼鏡陳列具は、上部に設けられた試着用眼鏡陳列部と、前記試着用眼鏡陳列部の下方に設けられ販売用眼鏡陳列部とからなり、前記試着用眼鏡陳列部は、壁面に係脱可能に取着されるディスプレイ用パネルと、前記ディスプレイ用パネルの上下左右の間隔をおいた複数箇所から突設された試着用ハンガーと、前記試着用ハンガーの左右両側に位置する前記ディスプレイ用パネルの箇所に形成された孔と、前記試着用ハンガーの先端に設けられ眼鏡のブリッジの係止を可能とした係止部とを備え、眼鏡の両側のテンプルを開いた状態で、眼鏡のブリッジを前記係止部に止させ、かつ、両側のテンプルまたはモダンを前記両側の孔の内周に載せた状態で眼鏡が支持されるように構成され、前記販売用眼鏡陳列部は、上下左右の間隔をおいた複数箇所から突設され、眼鏡が収容された包装箱の吊り下げを可能とした複数の販売用ハンガーを含んで構成されていることを特徴とする。
【発明の効果】
【０００５】
本発明では、試着用眼鏡陳列部が、眼鏡のブリッジを係止させる係止部と、両側のテンプルまたはモダンが載せられる孔とを有する構成であり、試着用眼鏡を簡単に取り外せ、かつ、簡単に元の位置に戻せるので、眼鏡の試着を簡単に気軽に行え、眼鏡を販売する上で極めて有利となる。
また、試着用眼鏡陳列部の構成は、ディスプレイ用パネルに係止部と孔を設けた簡単な構成であるため、コストを掛けることなく安価な試着用眼鏡陳列部を製造することが可能となる。
また、試着用眼鏡が並べられた試着用眼鏡陳列部の下方に、眼鏡が収容された包装箱が吊り下げられた販売用眼鏡陳列部が位置し、試着用眼鏡の箇所に対応して包装箱が並べられるので、狭いスペースにおいて試着と購入を簡単に行え、眼鏡専門の販売員を配置していない量販店などにおいて眼鏡の売り上げを高める上で極めて有利となる。
また、販売用眼鏡陳列部では、多数の販売用眼鏡を吊り下げておくことができるので、仕入れた商品を全て販売用眼鏡陳列部に吊り下げることができ、眼鏡の在庫スペースを省略し量販店などにおけるコストダウンを図る上で有利となる。
【発明を実施するための最良の形態】
【０００６】
以下、本発明の実施の形態を図面にしたがって説明する。
図１は眼鏡陳列具の正面図、図２は試着用眼鏡陳列部の説明図で、（Ａ）は試着用眼鏡陳列部を構成するディスプレイ用パネル、ハンガー部材などの平面図、（Ｂ）は正面図、（Ｃ）は側面図、図３は試着用眼鏡陳列部に陳列された試着用眼鏡の斜視図、図４は販売用ハンガーの斜視図、図５はゴンドラの斜視図、図６は係止用部材の説明図、図７は眼鏡が収容された包装箱の斜視図を示す。
眼鏡陳列具１０は、上部に設けられた試着用眼鏡陳列部１２と、試着用眼鏡陳列部１２の下方に設けられ販売用眼鏡陳列部１４などを備えている。
【０００７】
本実施の形態では、眼鏡陳列具１０は、図５に示す市販のゴンドラ５０などに設けられる。なお、眼鏡陳列具１０を壁面に直接設けるようにしてもよい。
ゴンドラ５０は、キャスター５００２で支持された底板５００４と、底板５００４の奥部から立設された背面５００６とを有し、背面５００６は、左右に間隔をおき底板５００４から立設された複数の支柱５０１０と、複数の支柱５０１０間に網状に張られた細径のロッド５０１２となどを備え、支柱５０１０には多数の係止孔５０１４が形成されている。
そして、例えば、各支柱５０１０の同一の高さの係止孔５０１４に、図６に示すように、係止爪５０１６Ａを係止させて保持用金具５０１６が配置され、断面が矩形枠状で直線状に延在する係止用部材５０２０などがそれら保持用金具５０１６を介して支柱５０１０間の上下に間隔をおいた複数箇所に水平に配置される。
【０００８】
試着用眼鏡陳列部１２は、ゴンドラ５０の背面５００６の上部に設けられている。
試着用眼鏡陳列部１２は、ディスプレイ用パネル１６と、試着用ハンガー１８と、係止部２０と、孔２２とを含んで構成されている。
試着用眼鏡陳列部１２は、例えば、男性と女性を含む成人の平均身長の人の顔の高さに位置し、あるいは、その顔の高さの上下に位置するように設けられ、試着用眼鏡陳列部１２に対して立った姿勢で楽に眼鏡Ｇを着脱できるようにしてある。
ディスプレイ用パネル１６は、透明な２枚の合成樹脂製のパネル材で構成され、それらパネル材は、均一の上下高さ、均一の左右幅を有し、それらパネル材の間に、眼鏡が近眼用などの通常の眼鏡の場合には、眼鏡にまつわる種々の情報が印刷された紙が、眼鏡がサングラスである場合には、サングラスにまつわる種々の情報が印刷された紙が交換可能に挟み込まれるように構成されている。
ディスプレイ用パネル１６の背面には下方にコ字状の係止金具１６０２が設けられており、この係止金具１６０２は背面の上下に間隔をおいた複数箇所に設けられ、それぞれディスプレイ用パネル１６の左右幅方向に延在している。
ディスプレイ用パネル１６の背面部への取り付けは、係止金具１６０２を係止用部材５０２０に係止させることでなされている。
【０００９】
本実施の形態では、ディスプレイ用パネル１６の上方に位置する背面５００６の箇所に、さらに別のパネル１７が、複数の係止金具１６０２を介して配置され、このパネル１７の幅方向の中央に、眼鏡Ｇの試着状態を視認するための鏡Ｍが傾動調節可能に設けられている。なお、パネル１７もディスプレイ用パネル１６と同様に、透明な２枚の合成樹脂製のパネル材で構成され、それらパネル材の間に、眼鏡やサングラスにまつわる種々の情報が印刷された紙が交換可能に挟み込まれるように構成されている。
【００１０】
試着用ハンガー１８は、ディスプレイ用パネル１６の上下左右の間隔をおいた複数箇所から突設されている。
本実施の形態では、ディスプレイ用パネル１６の左右に等間隔をおいた複数箇所にハンガー部材３０が設けられ、各ハンガー部材３０は、透明な合成樹脂からなり上下に延在する基板部３００２を備え、試着用ハンガー１８はこの基板部３００２の上下に等間隔をおいた複数箇所から突設され、試着用ハンガー１８はハンガー部材３０に一体に設けられている。
したがって、本実施の形態では、試着用ハンガー１８は、該試着用ハンガー１８が上下方向に並べられて形成された縦列が、左右方向に第１のピッチＰ１で複数設けられることで配設されている。
【００１１】
図３に示すように、係止部２０は、試着用ハンガー１８の先端に眼鏡ＧのブリッジＢの係止を可能に設けられており、係止部２０は下方に凹状に形成されている。
また、試着用ハンガー１８の左右両側に位置するディスプレイ用パネル１６の箇所に孔２２が形成されている。
そして、両側のテンプルＴを開いた状態で、眼鏡ＧのブリッジＢを係止部２０に係止させ、かつ、両側のテンプルＴまたはモダンＭを両側の孔２２の内周に載せた状態で眼鏡Ｇが支持されるように構成されている。
【００１２】
販売用眼鏡陳列部１４は、販売用眼鏡陳列部１４の下方の背面５００６に設けられている。
販売用眼鏡陳列部１４は、上下左右の間隔をおいた複数箇所から突設され、眼鏡Ｇが収容された包装箱４０の吊り下げを可能とした複数の販売用ハンガー３２を含んで構成されている。
販売用ハンガー３２は、図４に示すように、係止用部材５０２０に係脱可能な係止金具３２０２にロッド３２０４が溶着された市販品である。
図１に示すように、販売用ハンガー３２は、該販売用ハンガー３２が上下方向に並べられて形成された縦列が、左右方向に第１のピッチＰ１よりも小さい寸法の第２のピッチＰ２で複数設けられ、1つの販売用ハンガー３２に、例えば、１０から１５個程度の包装箱４０が吊り下げ可能となっている。
【００１３】
次に、眼鏡陳列具１０の使用方法について説明する。
試着用眼鏡陳列部１２において、例えば、度数毎に、あるいは、フレームの形状毎に、種類の異なる複数種類の眼鏡Ｇを並べる。
この場合、各眼鏡Ｇの陳列は、試着用ハンガー１８の先端の各係止部２０に眼鏡ＧのブリッジＢを係止させ、両側のテンプルＴまたはモダンＭを試着用ハンガー１８の両側に位置するディスプレイ用パネル１６の孔２２に挿入し、孔２２の内周に載せることで簡単に行われる。
そして、試着用眼鏡陳列部１２の縦列と横列を利用し、所望の度数や所望の形状の眼鏡Ｇがどこにあるのかを瞬時に見分けられるように眼鏡Ｇを陳列する。この場合、ディスプレイ用パネル１６に設けた紙に、種類や種別を印刷しておくと、所望の試着用の眼鏡Ｇがどこにあるのかを瞬時に見分けられるように陳列する上で有利となる。
【００１４】
また、販売用眼鏡陳列部１４では、眼鏡Ｇが収容された包装箱４０を、眼鏡Ｇの種類、種別毎に各販売用ハンガー３２に吊り下げる。
この場合、試着用眼鏡陳列部１２に種類、種別毎に並べられた眼鏡Ｇに関連付け、販売用眼鏡陳列部１４の縦列および横列を利用し試着した所望の眼鏡Ｇがどこにあるのかを瞬時に見分けられるように陳列する。
【００１５】
上述のように試着用眼鏡陳列部１２に試着用眼鏡Ｇが並べられ、また、販売用眼鏡陳列部１４に、眼鏡Ｇが収容された包装箱４０が吊り下げられており、購買者は、眼鏡陳列具１０の前で立ち止まり、気軽に、試着用眼鏡陳列部１２から試着用眼鏡Ｇを取り外して試着し、気に入ったならば、下方の販売用眼鏡陳列部１４から、所望の眼鏡Ｇが収容された包装箱４０を取り外し、買い物籠に投入し、会計場に持ち運んで購入することになる。
【００１６】
本実施の形態の試着用眼鏡陳列部１２によれば、眼鏡ＧのブリッジＢを係止させる係止部２０と、両側のテンプルＴまたはモダンＭが載せられる孔２２とを有する構成であり、試着用眼鏡Ｇを簡単に取り外せ、かつ、簡単に元の位置に戻せるので、眼鏡Ｇの試着を簡単に気軽に行え、眼鏡Ｇを販売する上で極めて有利となる。
また、試着用眼鏡陳列部１２の構成は、ディスプレイ用パネル１６に係止部２０と孔２２を設けた簡単な構成であるため、コストを掛けることなく安価な試着用眼鏡陳列部１２を製造することが可能となる。
【００１７】
また、試着用眼鏡Ｇが並べられた試着用眼鏡陳列部１２の直下の箇所に、眼鏡Ｇが収容された包装箱４０が吊り下げられた販売用眼鏡陳列部１４が位置し、試着用眼鏡Ｇの箇所に対応して包装箱４０が並べられるので、狭いスペースにおいて試着と購入を簡単に行え、眼鏡専門の販売員を配置していない量販店などにおいて眼鏡Ｇの売り上げを高める上で極めて有利となる。
また、販売用眼鏡陳列部１４では、多数の販売用眼鏡Ｇを吊り下げておくことができるので、仕入れた商品を全て販売用眼鏡陳列部１４に吊り下げることができ、眼鏡Ｇの在庫スペースを省略でき、量販店などにおけるコストダウンを図る上で有利となる。
【図面の簡単な説明】
【００１８】
【図１】眼鏡陳列具の正面図である。
【図２】試着用眼鏡陳列部の説明図で、（Ａ）は試着用眼鏡陳列部を構成するディスプレイ用パネル、ハンガー部材などの平面図、（Ｂ）は正面図、（Ｃ）は側面図である。
【図３】試着用眼鏡陳列部に陳列された試着用眼鏡の斜視図である。
【図４】販売用ハンガーの斜視図である。
【図５】ゴンドラの斜視図である。
【図６】係止用部材の説明図である。
【図７】眼鏡が収容された包装箱の斜視図である。
【符号の説明】
【００１９】
１０……眼鏡陳列具、１２……試着用眼鏡陳列部、１４……販売用眼鏡陳列部、１６……ディスプレイ用パネル、１８……試着用ハンガー、２０……係止部、２２……孔、３２……販売用ハンガー。
【図１】
2009018025.tif 000003
【図２】
2009018025.tif 000004
【図３】
2009018025.tif 000005
【図４】
2009018025.tif 000006
【図５】
2009018025.tif 000007
【図６】
2009018025.tif 000008
【図７】
2009018025.tif 000009